(57)【要約】【課題】制御部における制御方法が複雑になったり、記録装置が大型化するという課題がある。【解決手段】制御部は、先行用紙Ｐ１の後端部Ｐ１ｂと、後続用紙Ｐ２の先端部Ｐ２ａとを重ねた状態で搬送し、端辺検出部１０が後続用紙Ｐ２の先端辺Ａを検出すると、先行用紙Ｐ１の搬送を継続するとともに、後続用紙Ｐ２の搬送を停止し、先行用紙Ｐ１の後端辺Ｂが、後続用紙Ｐ２の先端辺Ａを通過すると、後続用紙Ｐ２を記録部に搬送する。【選択図】図４
2014084222.tif 000002
【特許請求の範囲】
【請求項１】
記録媒体を載置する載置部と、
前記載置部に載置された最上部の前記記録媒体に当接して前記記録媒体を給送する給送ローラーと、
前記給送ローラーの搬送経路下流側に位置し、前記記録媒体を搬送する第１搬送ローラーと、
前記第１搬送ローラーの搬送経路下流側に位置し、前記記録媒体を搬送する第２搬送ローラーと、
前記第２搬送ローラーの搬送経路下流側に位置し、搬送される前記記録媒体に記録する記録部と、
前記第１搬送ローラーと前記第２搬送ローラーとの間に置かれ、搬送される前記記録媒体の端辺を検出する端辺検出部と、
前記給送ローラー、前記第１搬送ローラー、前記第２搬送ローラーの駆動制御を行う制御部と、を備え、
前記制御部は、先行記録媒体の後端部と、後続記録媒体の先端部とを重ねた状態で搬送し、前記端辺検出部によって前記後続記録媒体の先端辺を検出すると、前記先行記録媒体の搬送を継続するとともに、前記後続記録媒体の搬送を停止し、前記端辺検出部によって前記先行記録媒体の後端辺が前記後続記録媒体の先端辺を通過したことを検出すると、前記後続記録媒体を前記記録部に搬送することを特徴とする記録装置。
【請求項２】
請求項１に記載の記録装置であって、
前記第１搬送ローラーと前記第２搬送ローラーとの間に回動可能に備えられ、回動姿勢の変化により前記記録媒体の移動規制または移動規制の解除を行う回動部材を備えたことを特徴とする記録装置。
【請求項３】
請求項１または請求項２に記載の記録装置であって、
前記制御部は、前記先行記録媒体の後端部が前記第１搬送ローラーより搬送経路上流側にあるとき、前記給送ローラーによって前記載置部から前記後続記録媒体を給送する速度を、前記第１搬送ローラーと前記第２搬送ローラーによって前記先行記録媒体を搬送する速度より早くすることを特徴とする記録装置。
【請求項４】
請求項１から請求項３のいずれか一項に記載の記録装置であって、
前記給送ローラーと前記第１搬送ローラーとの間に、前記記録媒体の重送を抑制する記録媒体分離部を備えたことを特徴とする記録装置。
【請求項５】
請求項１から請求項４のいずれか一項に記載の記録装置であって、
前記先行記録媒体の後端部の突出方向を変える突出方向変更部を備えることを特徴とする記録装置。
【請求項６】
請求項１から請求項５のいずれか一項に記載の記録装置であって、
前記第１搬送ローラーから前記第２搬送ローラーとの間に形成されたＵ字状の反転経路において、前記先行記録媒体の後端部と前記後続記録媒体の先端部を重ねるとき、前記後続記録媒体の先端部は、前記先行記録媒体の後端部より内側に重ねることを特徴とする記録装置。
【発明の詳細な説明】
【技術分野】
【０００１】
本発明は、記録装置に関する。
【背景技術】
【０００２】
単位時間当たりの記録枚数の増加すなわちスループットの向上を目的として、先行ページの記録完了を待たずに、次ページを給紙し記録する記録装置がある。例えば、特許文献１の記録装置は、次ページの記録媒体を所定の位置に給送する給送手段を備え、制御部は、先行ページの後端を検出した時点から、所定のタイミングまでに、次ページの記録媒体を所定の位置に給送することにより、先行ページと次ページとの用紙間距離を短くしている。
【先行技術文献】
【特許文献】
【０００３】
【特許文献１】特開２００９−１２９２２号公報
【発明の概要】
【発明が解決しようとする課題】
【０００４】
しかしながら、特許文献１の記録装置は、先行ページの後端を検出する第１検出手段と、次ページの記録媒体の先端を検出する第２検出手段とを備える。そのため、制御部における制御方法が複雑になったり、記録装置が大型化するという課題がある。
【課題を解決するための手段】
【０００５】
本発明は、上述の課題の少なくとも一部を解決するためになされたものであり、以下の形態または適用例として実現することが可能である。
【０００６】
［適用例１］記録媒体を載置する載置部と、前記載置部に載置された最上部の前記記録媒体に当接して前記記録媒体を給送する給送ローラーと、前記給送ローラーの搬送経路下流側に位置し、前記記録媒体を搬送する第１搬送ローラーと、前記第１搬送ローラーの搬送経路下流側に位置し、前記記録媒体を搬送する第２搬送ローラーと、前記第２搬送ローラーの搬送経路下流側に位置し、搬送される前記記録媒体に記録する記録部と、前記第１搬送ローラーと前記第２搬送ローラーとの間に置かれ、搬送される前記記録媒体の端辺を検出する端辺検出部と、前記給送ローラー、前記第１搬送ローラー、前記第２搬送ローラーの駆動制御を行う制御部と、を備え、前記制御部は、先行記録媒体の後端部と、後続記録媒体の先端部とを重ねた状態で搬送し、前記端辺検出部によって前記後続記録媒体の先端辺を検出すると、前記先行記録媒体の搬送を継続するとともに、前記後続記録媒体の搬送を停止し、前記端辺検出部によって前記先行記録媒体の後端辺が前記後続記録媒体の先端辺を通過したことを検出すると、前記後続記録媒体を前記記録部に搬送することを特徴とする記録装置。
【０００７】
本適用例によれば、制御部は、先行記録媒体の後端部と、後続記録媒体の先端部とを重ねた状態で搬送し、端辺検出部によって後続記録媒体の先端辺を検出すると、先行記録媒体の搬送を継続するとともに、後続記録媒体の搬送を停止し、端辺検出部によって先行記録媒体の後端辺が後続記録媒体の先端辺を通過したことを検出すると、後続記録媒体を記録部に搬送する。これにより、記録部において搬送される、先行記録媒体と後続記録媒体との距離を短くすることができる。従って、記録部において記録される単位時間当たりの記録枚数を多くしてスループットを向上させることができる。また、端辺検出部を備え、先行記録媒体と後続記録媒体との搬送制御を実行すればよいので、制御部における制御方法が複雑になったり、記録装置が大型化することを抑制できる。
【０００８】
［適用例２］前記第１搬送ローラーと前記第２搬送ローラーとの間に回動可能に備えられ、回動姿勢の変化により前記記録媒体の移動規制または移動規制の解除を行う回動部材を備えたことを特徴とする上記記録装置。
【０００９】
本適用例によれば、搬送される先行記録媒体と摺動することにより後続記録媒体が移動しようとしても、後続記録媒体を第１搬送ローラーと第２搬送ローラーとの間の所定の位置で停止させることができる。
【００１０】
［適用例３］前記制御部は、前記先行記録媒体の後端部が前記第１搬送ローラーより搬送経路上流側にあるとき、前記給送ローラーによって前記載置部から前記後続記録媒体を給送する速度を、前記第１搬送ローラーと前記第２搬送ローラーによって前記先行記録媒体を搬送する速度より早くすることを特徴とする上記記録装置。
【００１１】
本適用例によれば、先行記録媒体の後端部と、後続記録媒体の先端部を重ねた状態にすることができる。
【００１２】
［適用例４］前記給送ローラーと前記第１搬送ローラーとの間に、前記記録媒体の重送を抑制する記録媒体分離部を備えたことを特徴とする上記記録装置。
【００１３】
本適用例によれば、記録媒体の重送を抑制できるので、先行記録媒体の後端部と、後続記録媒体の先端部とを重ねた状態にすることができる。
【００１４】
［適用例５］前記先行記録媒体の後端部の突出方向を変える突出方向変更部を備えることを特徴とする上記記録装置。
【００１５】
本適用例によれば、先行記録媒体の後端部と後続記録媒体の先端部を重ねるとき、先行記録媒体の後端部に後続記録媒体の先端部が衝突することを抑制できる。
【００１６】
［適用例６］前記第１搬送ローラーから前記第２搬送ローラーとの間に形成されたＵ字状の反転経路において、前記先行記録媒体の後端部と前記後続記録媒体の先端部を重ねるとき、前記後続記録媒体の先端部は、前記先行記録媒体の後端部より内側に重ねることを特徴とする上記記録装置。
【００１７】
本適用例によれば、先行記録媒体の後端部と後続記録媒体の先端部を重ねるとき、先行記録媒体の後端部に後続記録媒体の先端部が衝突することを抑制できる。
【図面の簡単な説明】
【００１８】
【図１】実施形態１に係る記録装置の概略構成を示す模式図。
【図２】記録装置の電気的な概略構成を示すブロック図。
【図３】先行用紙と後続用紙が給送または搬送される様子を説明するための模式図。
【図４】先行用紙と後続用紙が給送または搬送される様子を説明するための模式図。
【図５】先行用紙、後続用紙を給送または搬送するときの制御の流れを示すフローチャート。
【図６】（ａ）は、実施形態２に係る記録装置において、搬送される先行用紙の後端部と、端辺検出部の下方の位置で停止した後続用紙の先端部とが重なった状態を示す模式図、（ｂ）は、回動部材の斜視図、（ｃ）は、回動部材の回動姿勢によって後続用紙の移動規制が行われる状態を示す図、（ｄ）は、回動部材の回動姿勢によって後続用紙の移動規制が解除される状態を示す図。
【図７】（ａ）は、実施形態３に係る記録装置の概略構成を示す模式図、（ｂ）、（ｃ）は、実施形態４に係る記録装置において先行用紙と後続用紙が給送または搬送される様子を示す模式図。
【発明を実施するための形態】
【００１９】
以下、本発明の実施形態について、図面を参照して説明する。
【００２０】
（実施形態１）
図１は、実施形態１に係る記録装置１００の概略構成を示す模式図である。筐体２２の鉛直方向Ｚにおける下側の底部には、載置部としての用紙カセット１が備えられる。用紙カセット１には、記録媒体としての複数の用紙Ｐが積層されて載置される。
【００２１】
用紙カセット１の鉛直方向Ｚにおける上方には、支点Ｓ１を回動軸として揺動する揺動部材２に支持された給送ローラーとしての給送駆動ローラー３が備えられる。給送駆動ローラー３は、最上部の用紙Ｐに当接し、矢印方向の駆動回転により、最上部の用紙Ｐが用紙カセット１に設けられた分離斜面４に向かって給送される。分離斜面４は、給送駆動ローラー３の駆動回転によって給送される用紙Ｐの重送を抑制する。
【００２２】
分離斜面４の搬送経路下流側には、矢印方向に駆動回転する分離用駆動ローラー５、分離用駆動ローラー５に当接して従動回転するリタードローラー６が備えられる。リタードローラー６は、所定の回転抵抗が与えられた状態に設けられ、分離用駆動ローラー５との間でニップ点を形成することにより、分離斜面４において分離されずに重送された複数の用紙Ｐから１枚の用紙Ｐを分離して搬送経路下流側に搬送する。
【００２３】
リタードローラー６は、分離用駆動ローラー５に当接したり離間可能に備えられる。用紙戻しレバー２１は、支点Ｓ２を回動軸として回動可能に設けられ、リタードローラー６が分離用駆動ローラー５と離間し、用紙戻しレバー２１が回動することにより、分離された１枚の用紙Ｐ以外の用紙Ｐを搬送経路上流側に押し戻す。
【００２４】
分離斜面４、分離用駆動ローラー５、リタードローラー６、用紙戻しレバー２１を含み、記録媒体分離部を構成する。記録媒体分離部の搬送経路下流側には、矢印方向に駆動回転する第１搬送ローラーとしての第１搬送駆動ローラー７、第１搬送駆動ローラー７に当接して従動回転する従動ローラー８，９が備えられる。記録媒体分離部は、給送駆動ローラー３と第１搬送駆動ローラー７との間に設けられ、用紙Ｐの重送を抑制する。
【００２５】
第１搬送駆動ローラー７の搬送経路下流側には、矢印方向に駆動回転する第２搬送ローラーとしての第２搬送駆動ローラー１１、第２搬送駆動ローラー１１と当接して従動回転する従動ローラー１２が備えられる。用紙Ｐの幅方向Ｙ（以降は、幅方向Ｙという）から見ると、第１搬送駆動ローラー７、従動ローラー８，９、第２搬送駆動ローラー１１、従動ローラー１２によって、用紙ＰをＵ字状に反転しながら搬送する搬送経路が形成される。
【００２６】
第１搬送駆動ローラー７と第２搬送駆動ローラー１１との間には、用紙Ｐの端部を検出する端辺検出部１０が備えられる。端辺検出部１０は、発光ダイオード（不図示）、フォトトランジスター（不図示）などを含んで構成される光学式のセンサーである。
【００２７】
第２搬送駆動ローラー１１の搬送経路下流側には、インクを噴射する記録ヘッド１５を設けたキャリッジ１４が、ガイド軸１３に沿って幅方向Ｙに移動可能に備えられる。記録ヘッド１５と対向する位置には、搬送される用紙Ｐを支持する支持部１６が備えられる。
【００２８】
搬送方向Ｘに搬送される用紙Ｐに対して、幅方向Ｙに往復移動する記録ヘッド１５からインクが噴射されて、用紙Ｐに文字や画像が記録される。記録ヘッド１５、キャリッジ１４、ガイド軸１３、支持部１６を含んで記録部が構成される。
【００２９】
キャリッジ１４の搬送経路下流側には、矢印方向に駆動回転する排出駆動ローラー１７、排出駆動ローラー１７と当接しながら従動回転する従動ローラー１８が備えられる。排出駆動ローラー１７の搬送経路下流側には、スタッカー２０が設けられる。記録ヘッド１５によって記録された用紙Ｐが筐体２２に設けられた排出用開口部１９から排出され、スタッカー２０に載置される。
【００３０】
図２は、記録装置１００の電気的な概略構成を示すブロック図である。図１、図２を参照して記録装置１００の電気的な概略構成を説明する。給送駆動ローラー３、分離用駆動ローラー５は、給送モーター３４によって駆動回転される。駆動用モーター３５の駆動回転によって揺動される揺動機構３６を介して、リタードローラー６が分離用駆動ローラー５に対して当接または離間し、用紙戻しレバー２１が揺動する。
【００３１】
第１搬送駆動ローラー７は、第１搬送モーター３３によって駆動回転される。第２搬送駆動ローラー１１、排出駆動ローラー１７は、第２搬送モーター３２によって駆動回転される。第２搬送モーター３２の回転量は、光学式のロータリーエンコーダー（不図示）などによって構成される回転量検出部３１によって検出される。
【００３２】
キャリッジ１４は無端ベルト（不図示）に固定され、無端ベルトを駆動回転させるキャリッジモーター３８によって、キャリッジ１４は、幅方向Ｙに往復移動する。キャリッジ１４の幅方向Ｙにおける位置は、光学式のリニアエンコーダー（不図示）などによって構成されるキャリッジ位置検出部３７によって検出される。
【００３３】
制御部３０は、駆動用モーター３５、給送モーター３４、第１搬送モーター３３、第２搬送モーター３２の駆動制御を行う。制御部３０は、記録ヘッド１５の吐出駆動制御を行う。制御部３０は、端辺検出部１０によって、用紙Ｐの端部を検出する。
【００３４】
図３、図４は、先行記録媒体である先行用紙Ｐ１、後続記録媒体である後続用紙Ｐ２が給送または搬送される様子を説明するための模式図である。図５は、図２の制御部３０によって、先行用紙Ｐ１、後続用紙Ｐ２を給送または搬送するときの制御の流れを示すフローチャートである。図３、図４、図５を参照し、先行用紙Ｐ１、後続用紙Ｐ２を給送または搬送するときの制御の流れを説明する。尚、以降、先行用紙Ｐ１または後続用紙Ｐ２を問わないときは、用紙Ｐという。
【００３５】
図５のステップＳ１００では、図３（ａ）に示すように、制御部３０は、第１搬送駆動ローラー７、第２搬送駆動ローラー１１、排出駆動ローラー１７を駆動回転させて、先行用紙Ｐ１を搬送経路下流側に搬送する。
【００３６】
ステップＳ１１０では、図３（ｂ）に示すように、制御部３０は、先行用紙Ｐ１の後端部Ｐ１ｂが第１搬送駆動ローラー７と従動ローラー８のニップ位置より搬送経路上流側にあるとき、給送駆動ローラー３を駆動回転させ、先行用紙Ｐ１の搬送速度より早い給送速度で後続用紙Ｐ２を給送し、先行用紙Ｐ１の後端部Ｐ１ｂと後続用紙Ｐ２の先端部Ｐ２ａとが重なった状態にする。
【００３７】
ステップＳ１２０では、図３（ｃ）に示すように、制御部３０は、先行用紙Ｐ１の後端部Ｐ１ｂと後続用紙Ｐ２の先端部Ｐ２ａが重なった状態で、給送駆動ローラー３、第１搬送駆動ローラー７、第２搬送駆動ローラー１１、排出駆動ローラー１７を駆動回転させて、先行用紙Ｐ１と後続用紙Ｐ２とを搬送する。
【００３８】
ステップＳ１３０では、制御部３０は、端辺検出部１０によって、後続用紙Ｐ２の先端辺Ａが検出されたか否かを判定する。端辺検出部１０によって先端辺Ａを検出したときは（Ｙｅｓ）、ステップＳ１４０に進み、先端辺Ａを検出しないときは（Ｎｏ）、ステップＳ１２０に戻る。
【００３９】
図４（ａ）に示すように、後続用紙Ｐ２の先端辺Ａが端辺検出部１０の鉛直方向Ｚにおける下方の位置に搬送されると、受光量の変化により、端辺検出部１０によって先端辺Ａが検出される。
【００４０】
ステップＳ１４０では、図４（ｂ）に示すように、制御部３０は、給送駆動ローラー３、分離用駆動ローラー５、第１搬送駆動ローラー７の駆動回転を停止して後続用紙Ｐ２の搬送を停止させ、第２搬送駆動ローラー１１、排出駆動ローラー１７を駆動回転させて先行用紙Ｐ１を搬送する。
【００４１】
ステップＳ１５０では、制御部３０は、端辺検出部１０によって、先行用紙Ｐ１の後端辺Ｂが検出されたか否かを判定する。端辺検出部１０によって後端辺Ｂを検出したときは（Ｙｅｓ）、ステップＳ１６０に進み、後端辺Ｂを検出しないときは（Ｎｏ）、ステップＳ１４０に戻る。
【００４２】
ステップＳ１６０では、図４（ｃ）に示すように、制御部３０は、排出駆動ローラー１７、第２搬送駆動ローラー１１、第１搬送駆動ローラー７を駆動回転させて先行用紙Ｐ１を搬送するとともに、後続用紙Ｐ２を搬送する。
【００４３】
ステップＳ１７０では、制御部３０は、図２の回転量検出部３１によって、後続用紙Ｐ２を搬送した距離を算出し、後続用紙Ｐ２の後端が給送駆動ローラー３より搬送経路下流側に位置した時点で、給送駆動ローラー３の駆動回転を停止する。
【００４４】
ステップＳ１８０では、図３（ｂ）を用いてステップＳ１１０で説明したように、制御部３０は、後続用紙Ｐ２の後端部が第１搬送駆動ローラー７と従動ローラー８のニップ位置より搬送経路上流側にあるとき、給送駆動ローラー３を駆動回転させ、後続用紙Ｐ２の搬送速度より早い給送速度で図４（ｃ）の用紙カセット１の最上部の後続用紙Ｐ３を給送し、後続用紙Ｐ２の後端部と後続用紙Ｐ３の先端部とが重なった状態にする。
【００４５】
以降は、上述した方法により、用紙カセット１に載置された用紙を順次、給送、搬送して記録する。
【００４６】
以上、本実施形態で説明した記録装置１００は、用紙Ｐを載置する用紙カセット１と、用紙カセット１に載置された最上部の用紙Ｐに当接して用紙Ｐを給送する給送駆動ローラー３と、給送駆動ローラー３の搬送経路下流側に位置し、用紙Ｐを搬送する第１搬送駆動ローラー７と、第１搬送駆動ローラー７の搬送経路下流側に位置し、用紙Ｐを搬送する第２搬送駆動ローラー１１と、第２搬送駆動ローラー１１の搬送経路下流側に位置し、搬送される用紙Ｐに記録する記録部と、第１搬送駆動ローラー７と第２搬送駆動ローラー１１との間に置かれ、搬送される用紙Ｐの端辺を検出する端辺検出部１０と、給送駆動ローラー３、第１搬送駆動ローラー７、第２搬送駆動ローラー１１の駆動制御を行う制御部３０と、を備える。
【００４７】
制御部３０は、先行用紙Ｐ１の後端部Ｐ１ｂと、後続用紙Ｐ２の先端部Ｐ２ａとを重ねた状態で搬送し、端辺検出部１０によって後続用紙Ｐ２の先端辺Ａを検出すると、先行用紙Ｐ１の搬送を継続するとともに、後続用紙Ｐ２の搬送を停止し、端辺検出部１０によって先行用紙Ｐ１の後端辺Ｂが後続用紙Ｐ２の先端辺Ａを通過したことを検出すると、後続用紙Ｐ２を記録部に搬送する。
【００４８】
この構成によれば、図４（ｂ）の後続用紙Ｐ２は、先行用紙Ｐ１からの距離Ｌを短かくした状態で記録部に向かって搬送が再開される。そのため、図４（ｃ）の記録部において搬送される、先行用紙Ｐ１と後続用紙Ｐ２との距離Ｌを短くすることができる。従って、記録部において記録される単位時間当たりの記録枚数を多くしてスループットを向上させることができる。また、端辺検出部１０を備え、先行用紙Ｐ１と後続用紙Ｐ２との搬送制御を実行すればよいので、制御部３０における制御方法が複雑になったり、記録装置１００が大型化することを抑制できる。
【００４９】
また、制御部３０は、先行用紙Ｐ１の後端部Ｐ１ｂが第１搬送駆動ローラー７より搬送経路上流側にあるとき、給送駆動ローラー３によって用紙カセット１から後続用紙Ｐ２を給送する速度を、第１搬送駆動ローラー７と第２搬送駆動ローラー１１によって先行用紙Ｐ１を搬送する速度より早くする。
【００５０】
これにより、先行用紙Ｐ１の後端部Ｐ１ｂと、後続用紙Ｐ２の先端部Ｐ２ａとを重ねた状態にすることができる。
【００５１】
（実施形態２）
実施形態２では、用紙Ｐの移動規制または移動規制の解除を行う回動部材を備えた記録装置について説明する。図６（ａ）は、実施形態２に係る記録装置１００ａにおいて、搬送される先行用紙Ｐ１の後端部Ｐ１ｂと、端辺検出部１０の鉛直方向Ｚにおける下方の位置で停止した後続用紙Ｐ２の先端部Ｐ２ａとが重なった状態を示す模式図である。記録装置１００ａは、図１を参照して説明した実施形態１の記録装置１００にさらに回動部材２３を備えた構成である。
【００５２】
図６（ｂ）は、回動部材２３の斜視図である。回動部材２３は、端辺検出部１０と第２搬送駆動ローラー１１との間に、矢印に示すように支点Ｓ３を回動軸として回動可能に備えられる。回動部材２３は、モーターなどを含んで構成される回動機構（不図示）を備え、図２の制御部３０によって回動姿勢を変えることができる。
【００５３】
図６（ｃ）は、回動部材２３の回動姿勢によって後続用紙Ｐ２の移動規制が行われる状態を示す図である。回動部材２３を幅方向Ｙから見た長手方向が鉛直方向Ｚとなる回動姿勢にあるとき、後続用紙Ｐ２の先端辺Ａは、回動部材２３に当接し、回動部材２３は、後続用紙Ｐ２の移動規制を行う。
【００５４】
このとき、制御部３０は、給送駆動ローラー３、分離用駆動ローラー５、第１搬送駆動ローラー７の駆動回転を停止して後続用紙Ｐ２の搬送を停止させ、第２搬送駆動ローラー１１、排出駆動ローラー１７を駆動回転させて先行用紙Ｐ１を搬送する。
【００５５】
図６（ｄ）は、回動部材２３の回動姿勢によって後続用紙Ｐ２の移動規制が解除される状態を示す図である。回動部材２３を幅方向Ｙから見た長手方向が鉛直方向Ｚに対して傾斜している回動姿勢にあるとき、制御部３０が第１搬送駆動ローラー７を駆動回転させると、後続用紙Ｐ２の先端辺Ａは、回動部材２３の鉛直方向Ｚにおける下方を通過することができる。
【００５６】
図６（ｂ）に示すように、回動部材２３における搬送方向Ｘ上流側の平面は、幅方向Ｙに長く延びるようにして形成される。これにより、後続用紙Ｐ２が、搬送される先行用紙Ｐ１と摺動することにより搬送方向Ｘ下流側に移動しようとしたとき、後続用紙Ｐ２の先端辺Ａが回動部材２３の搬送方向Ｘ上流側の平面に沿って当接するので、後続用紙Ｐ２における搬送方向Ｘに対する傾斜角度を小さくすることができる。
【００５７】
以上、本実施形態で説明した記録装置１００ａは、第１搬送駆動ローラー７と第２搬送駆動ローラー１１との間に回動可能に備えられ、回動姿勢の変化により後続用紙Ｐ２の移動規制または移動規制の解除を行う回動部材２３を備える。
【００５８】
この構成によれば、搬送される先行用紙Ｐ１と摺動することにより後続用紙Ｐ２が移動しようとしても、後続用紙Ｐ２を第１搬送駆動ローラー７と第２搬送駆動ローラー１１との間の所定の位置で停止させることができる。
【００５９】
（実施形態３）
実施形態３では、先行用紙Ｐ１の後端部Ｐ１ｂの突出方向を変える突出方向変更部を備えた記録装置について説明する。図７（ａ）は、実施形態３に係る記録装置１００ｂの概略構成を示す模式図である。図７（ａ）は、図１を参照して説明した実施形態１の記録装置１００にさらに突出方向変更部としての吸引部２４を備えた構成である。
【００６０】
吸引部２４は、分離用駆動ローラー５と第１搬送駆動ローラー７の間に備えられる。吸引部２４は、チューブ２５を介して空気用ポンプ２６と連通される。空気用ポンプ２６の吸引作用により、吸引部２４は先行用紙Ｐ１の後端部Ｐ１ｂを吸引部２４側に引き寄せる。
【００６１】
これにより、先行用紙Ｐ１の後端部Ｐ１ｂの突出方向が吸引部２４側に変更されるので、後続用紙Ｐ２の先端部Ｐ２ａが、先行用紙Ｐ１の後端部Ｐ１ｂと衝突することを抑制し、先端部Ｐ２ａと後端部Ｐ１ｂとを重ねた状態にすることができる。突出方向変更部は、回動するレバー（不図示）を用いて、後続用紙Ｐ２の先端部Ｐ２ａの突出方向を変更する構成でもよい。
【００６２】
（実施形態４）
実施形態４では、後続用紙Ｐ２の先端部Ｐ２ａが、先行用紙Ｐ１の後端部Ｐ１ｂより内側に重なるように搬送させる記録装置について説明する。図７（ｂ）、（ｃ）は、実施形態４に係る記録装置１００ｃにおいて先行用紙Ｐ１と後続用紙Ｐ２が給送または搬送される様子を示す模式図である。
【００６３】
第１搬送駆動ローラー７、従動ローラー８，９、第２搬送駆動ローラー１１、従動ローラー１２によって形成されたＵ字状の反転経路において、後続用紙Ｐ２の先端部Ｐ２ａが、先行用紙Ｐ１の後端部Ｐ１ｂより内側に重なる状態で、後続用紙Ｐ２と先行用紙Ｐ１とが搬送される。
【００６４】
本実施形態の端辺検出部１０ａは、鉛直方向Ｚにおいて第２搬送駆動ローラー１１と従動ローラー１２とのニップ位置より下方に設けられる。これにより、図７（ｃ）の後続用紙Ｐ２の先端辺Ａは、端辺検出部１０ａによって検出される。
【００６５】
このような構成により、図７（ｂ）の先行用紙Ｐ１の後端部Ｐ１ｂが第１搬送駆動ローラー７より搬送経路上流側にあるとき、後続用紙Ｐ２の先端部Ｐ２ａが先行用紙Ｐ１の後端部Ｐ１ｂに衝突することを抑制できる。
【００６６】
実施形態１から実施形態４では、インクを吐出する記録ヘッド１５を備えた記録装置について説明したが、感光体を備えた電子写真方式の記録装置にも適用する。
【符号の説明】
【００６７】
１…用紙カセット、３…給送駆動ローラー、４…分離斜面、５…分離用駆動ローラー、６…リタードローラー、７…第１搬送駆動ローラー、８，９，１２，１８…従動ローラー、１０，１０ａ…端辺検出部、１１…第２搬送駆動ローラー、１３…ガイド軸、１４…キャリッジ、１５…記録ヘッド、１６…支持部、１７…排出駆動ローラー、２１…用紙戻しレバー、２３…回動部材、２４…吸引部、２５…チューブ、２６…空気用ポンプ、３０…制御部、１００，１００ａ，１００ｂ，１００ｃ…記録装置、Ａ…先端辺、Ｂ…後端辺、Ｐ１ｂ…後端部、Ｐ２ａ…先端部。
【図１】
2014084222.tif 000003
【図２】
2014084222.tif 000004
【図３】
2014084222.tif 000005
【図４】
2014084222.tif 000006
【図５】
2014084222.tif 000007
【図６】
2014084222.tif 000008
【図７】
2014084222.tif 000009